(57)【要約】【課題】大出力容量の発電機に対しても、系統電圧を安定したものとすることが交流遮断器を用いた励磁回路を構成して行うことができる発電機励磁装置を提供する。【解決手段】タービン発電機１の出力電路に接続された励磁変圧器と、この励磁変圧器に接続され交流、直流変換して得た界磁電流をタービン発電機１の界磁巻線１６に供給するサイリスタ整流器１４と、タービン発電機１の出力電圧、電流に基づいて制御信号をサイリスタ整流器１４に出力する自動電圧制御器１５を備えるもので、励磁変圧器が、第１励磁変圧器１２と、この第１励磁変圧器１２の二次側に接続された第２励磁変圧器１３で構成されていると共に、第２励磁変圧器１３の中性点側に交流遮断器１９が接続されている。【選択図】図１
2009303339.tif 000002
【特許請求の範囲】
【請求項１】
発電機の出力電路に接続された第１励磁変圧器と、この第１励磁変圧器の二次側に接続された第２励磁変圧器と、前記第２励磁変圧器の中性点側に接続された交流遮断器と、前記第２励磁変圧器に接続され交流から直流に変換するサイリスタ整流器とを備えたことを特徴とする発電機励磁装置。
【発明の詳細な説明】
【技術分野】
【０００１】
本発明は、例えば原子力発電所、火力発電所等のタービン発電機を励磁するサイリスタ整流器を用いた発電機励磁装置に関する。
【背景技術】
【０００２】
一般に、発電機励磁装置、例えばタービン発電機励磁装置は、電力系統の系統電圧を安定したものとするようタービン発電機を制御するもので、直流励磁機方式、交流励磁機方式、静止形励磁方式などがある。サイリスタ整流器を用いた静止形励磁方式は、励磁変圧器、順変換器であるサイリスタ整流器、自動電圧制御器（ＡＶＲ）、界磁遮断器（ＦＣＢ）等を備えて構成されている。そして、界磁遮断器は、励磁変圧器二次側の短絡事故やサイリスタ整流器の故障等の際に界磁回路を遮断し、影響がタービン発電機へ及ばないようにする。また、系統電圧の安定化、すなわち過渡安定度の向上のためには、タービン発電機励磁装置の頂上電圧を上げることが必要で、励磁変圧器二次側の電圧、電流が高く、大きくなり、二次側事故時の短絡電流が大きくなる。またタービン発電機出力容量が大きくなると励磁変圧器の容量も大きくなり、さらに短絡電流が大きくなる。
【０００３】
一方、タービン発電機の界磁巻線とサイリスタ整流器の間の直流回路部分に設けられる界磁遮断器は直流を遮断するものであるから、遮断容量を大きくすることが難しく、また特殊気中遮断器であり高価格のものとなっているため、界磁遮断器を用いないものの開発が進められている。例えば、図３の構成図に示すように、発電機の発電電力を開閉する発電機負荷開閉器に界磁回路開閉の機能を持たせるようにしたものがある（例えば、特許文献１参照）。
【０００４】
すなわち、励磁装置５１は、発電機５２に界磁電流を供給するサイリスタ整流器５３、励磁電源変圧器（励磁変圧器）５４、自動電圧調整装置（ＡＶＲ）５５を備え、発電機５２の発電した電力は、界磁遮断の機能付き発電機負荷開閉器５６を経て主変圧器５７によって昇圧されて送電系統に送電されるように構成されている。こうした構成であるため、励磁電源変圧器二次側事故時等においては、界磁遮断により励磁装置５１と発電機５２を切り離し、発電機負荷開閉器５６を開動作させることによって送電系統への送電を停止する。
【０００５】
また、直流回路部分に界磁遮断器を用いないものの他の例としては、励磁変圧器の二次側とサイリスタ整流器の間の交流回路部分に交流遮断器（気中遮断器（ＡＣＢ）、真空遮断器（ＶＣＢ）など）を設けるようにすることが考えられる。しかし、発電機の出力容量が大きくなった場合、励磁変圧器の二次側故障電流は大きくなり、電圧も高電圧となるために、高電圧、大きな短時間定格電流が要求されることになり、大出力容量発電機に用いることは難しいものとなっていた。
【０００６】
このため、励磁変圧器の二次側故障時などにおいても異常な高電圧発生の負担等をかけることもなく、一般の交流遮断器を用いて大出力容量の発電機の励磁回路を構成し、系統電圧の安定化を行うことができる発電機励磁装置の開発が望まれている。
【特許文献１】特開２００１−３７２９９号公報
【発明の開示】
【発明が解決しようとする課題】
【０００７】
上記のような状況に鑑みて本発明はなされたもので、その目的とするところは、大出力容量の発電機に対しても、系統電圧を安定したものとすることが交流遮断器を用いた励磁回路を構成して行うことができる発電機励磁装置を提供することにある。
【課題を解決するための手段】
【０００８】
本発明の発電機励磁装置は、発電機の出力電路に接続された第１励磁変圧器と、この第１励磁変圧器の二次側に接続された第２励磁変圧器と、前記第２励磁変圧器の中性点側に接続された交流遮断器と、前記第２励磁変圧器に接続され交流から直流に変換するサイリスタ整流器とを備えたことを特徴とするものである。
【発明の効果】
【０００９】
本発明によれば、発電機が大出力容量のものであっても系統電圧を安定したものとすることが、交流遮断器を用いた構成の励磁回路で行うことができる等の効果を有する。
【発明を実施するための最良の形態】
【００１０】
以下本発明の一実施形態を、図１及び図２を参照して説明する。図１は発電機励磁装置を示す構成図であり、図２は発電所の概略を示す構成図である。
【００１１】
図１及び図２において、１は多相交流同期発電機であるタービン発電機であり、原子炉２で発生した蒸気が蒸気調整弁３及び主蒸気管４を流通してタービン５に導入され、高圧タービン、低圧タービンと流れる間にタービン５に直結されたタービン発電機１を駆動することで、発電が行われ、タービン５から排出された蒸気は復水器６で水となり、給水ポンプ７によって原子炉２に戻される。そしてタービン発電機１が発電した電力は、主変圧器８で出力電圧が昇圧され、系統並列用遮断器９を経て電力系統１０に供給される。
【００１２】
また、１１はタービン発電機１を励磁する発電機励磁装置であり、発電機励磁装置１１は、その電源を構成するタービン発電機１の出力電圧を降圧する励磁変圧器の第１励磁変圧器１２、第１励磁変圧器１２の二次側に接続された第２励磁変圧器１３と、交流から直流に変換する複数のサイリスタで構成されるサイリスタ整流器１４と、サイリスタ整流器１４の点弧、整流動作を制御する自動電圧制御器（ＡＶＲ）１５を備えて構成されている。このため、タービン発電機１が発電した電力は、タービン発電機１と主変圧器８の間の主電力路に接続された第１励磁変圧器１２と、その二次側に接続された第２励磁変圧器１３によって出力電圧が降圧されてサイリスタ整流器１４に供給される。
【００１３】
そして、サイリスタ整流器１４では、自動電圧制御器１５の制御のもとにサイリスタ整流器１４による交流から直流への変換が行なわれ、変換で得た直流の界磁電流はタービン発電機１の界磁巻線１６に供給され、励磁を行い、これによってタービン発電機１の出力電圧は、図示しない電圧設定器で設定された目標とする所定電圧に保持される。
【００１４】
また、タービン発電機１の出力電圧が所定電圧となるようサイリスタ整流器１４を位相制御する自動電圧制御器１５は、タービン発電機１と主変圧器８の間の主電力路に接続された電圧検出器１７及び電流検出器１８により検出されたタービン発電機１の出力電圧、電流と、電圧設定器に設定された目標の電圧とを比較することにより、目標の所定電圧を維持するための位相制御信号であるゲートパルス信号を算出し、サイリスタ整流器１４の各対応するサイリスタに必要な点弧、整流動作を行わせるようサイリスタ整流器１４に出力する。
【００１５】
さらに、第１励磁変圧器１２の二次側に連接された第２励磁変圧器１３には、その中性点側に交流遮断器１９が接続されており、常時は回路のアンバランスによる電圧が印加されるようになっている。また、第２励磁変圧器１３の二次側における短絡事故やサイリスタ整流器１４の故障等が発生した時には、これを交流遮断器１９が検知し、動作することで界磁巻線１６への給電が遮断され、事故等の影響が及ばないようにタービン発電機１の切り離しが行なわれる。なお、連接された第１励磁変圧器１２と第２励磁変圧器１３とは、適正に動作するようにインピーダンスマッチングがとられている。
【００１６】
そして、上記の通り構成されているので、タービン発電機１が大容量となり、出力電圧が高いものとなった場合に、系統電力の過渡安定度を向上させ、系統電圧の安定化を行うために、発電機励磁装置１１の頂上電圧を上げるよう第１励磁変圧器１２の二次側の励磁回路電圧を高くしても、第１励磁変圧器１２と第２励磁変圧器１３をそれぞれ適正に選択することで、第２励磁変圧器１３の中性点側に接続されている交流遮断器１９は、その定格電圧を高くしたり、定格電流及び定格遮断電流を大きなものとしたりする必要がなく、汎用の交流遮断器の仕様と同じものとすることができる。すなわち、汎用のものを使用して、事故発生時に界磁巻線１６への界磁電流を遮断させてタービン発電機１に影響が及ばないようにすることが可能になる。また交流遮断器１９に常時印加される電圧が非常に低いものであるから、その絶縁寿命を長いものとすることができる。
【図面の簡単な説明】
【００１７】
【図１】本発明の一実施形態の発電機励磁装置を示す構成図である。
【図２】本発明の一実施形態に係る発電所の概略を示す構成図である。
【図３】従来技術を示す構成図である。
【符号の説明】
【００１８】
１…タービン発電機
１２…第１励磁変圧器
１３…第２励磁変圧器
１４…サイリスタ整流器
１５…自動電圧制御器
１６…界磁巻線
１９…交流遮断器
【図１】
2009303339.tif 000003
【図２】
2009303339.tif 000004
【図３】
2009303339.tif 000005